(57)【要約】  リンクの確立方法、基地局及びシステムであって、前記方法は、第１基地局と第２基地局が前記第１基地局と前記第２基地局との間の第１リンクによって第２リンクを確立することと、前記第１基地局と前記第２基地局が前記第１リンク及び/又は第２リンクによって通信することとを含む。本発明の実施例におけるリンクの確立方法、基地局及び通信システムは、既存の第１リンクによって、２つの基地局の間に第２リンクを確立して、２つの基地局は第１リンク及び/又は第２リンクによって通信でき、サービス需要を満たすと同時に最大限にエアインターフェイスリンクリソースを節約することができる。【選択図】図２
2016524370.tif 000002
【特許請求の範囲】
【請求項１】
第１基地局と第２基地局が前記第１基地局と前記第２基地局との間の第１リンクによって第２リンクを確立することと、
前記第１基地局と前記第２基地局が前記第１リンク及び/又は第２リンクによって通信することと、を含むリンクの確立方法。
【請求項２】
前記第１基地局と前記第２基地局が前記第２リンクを確立する前に、前記第１基地局と前記第２基地局は、現在の第２リンクを確立する能力を表すための情報をインタラクションし、前記第１基地局と前記第２基地局が現在いずれも第１リンクによって第２リンクを確立する能力を備える際に、前記第２リンクを確立する請求項１に記載の方法。
【請求項３】
前記第１基地局と前記第２基地局が前記第２リンクを確立するステップは、第１基地局が第１リンクによって第２基地局と第２リンクを確立するための情報をインタラクションすること、及び/又は、前記第１基地局と前記第２基地局がアップリンク及び/又はダウンリンク同期を行うこと、を含む請求項１に記載の方法。
【請求項４】
前記第１リンクが有線リンクであり、前記第１基地局と前記第２基地局が有線リンクのＸ２インターフェイス又はＳ１インターフェイスの従来又は新規メッセージによって情報をインタラクションする請求項２又は３に記載の方法。
【請求項５】
前記第２リンクは無線リンクであり、前記第２リンクを確立するための情報は、
前記第１基地局が分配した前記第２リンクにおいて前記第２基地局を識別するための識別情報、
前記第２リンク用の前記第１基地局及び/又は前記第２基地局がサポートする安全関連能力情報、
前記第２リンク用の安全関連メカニズム又はアルゴリズム、
前記第２リンク用の安全関連メカニズム又はアルゴリズムのパラメータ、
前記第２リンク用の前記第２基地局の無線能力関連情報、のうちの少なくとも１つを含む請求項３に記載の方法。
【請求項６】
ダウンリンク同期用信号は、プライマリー同期信号（ＰＳＳ）、セカンダリ同期信号（ＳＳＳ）、セル参照信号（ＣＲＳ）のうちの少なくとも１つを含み、
アップリンク同期用信号は、探知参照信号（ＳＲＳ）、復調参照信号（ＤＭＲＳ）、プリアンブル配列（ｐｒｅａｍｂｌｅ）のうちの少なくとも1つを含む請求項３に記載の方法。
【請求項７】
前記第１基地局と前記第２基地局がアップリンク同期を行うステップは、
前記第２リンクが無線リンクである場合に、前記第２基地局が無線方式によってアップリンク同期用信号を送信することと、
前記第１基地局が受信したアップリンク同期用信号に基づき前記第１基地局のタイミング調整量を確定し、且つ第１リンク又は無線方式によって前記タイミング調整量を前記第２基地局に送信することと、
前記第２基地局が受信した前記タイミング調整量に基づき前記第１基地局と間のアップリンク同期を達成することと、を含む請求項３に記載の方法。
【請求項８】
前記第２基地局が特定のリソースを使用して或いは特定のリソース集合から特定のリソースを選択してアップリンク同期用信号を送信し、前記特定のリソース又は特定のリソース集合は前記第１基地局により第１リンク又は無線方式によって前記第２基地局に送信される請求項７に記載の方法。  
【請求項９】
前記第２リンクは無線リンクであり、前記第１基地局と前記第２基地局が前記第２リンクによって通信することは、ユーザプレーン遅延敏感情報を伝送すること、及び物理層制御情報、ＭＡＣ層制御情報又はＲＲＣ層専用シグナリングによってコントロールプレーン遅延敏感情報を伝送することを含む請求項１に記載の方法。
【請求項１０】
第１リンクによって通信する相手端基地局との間に第２リンクを確立するように設定されるリンク確立ユニット、前記第１リンク及び/又は第２リンクによって前記相手端基地局と通信するように設定される通信ユニットを含む基地局。
【請求項１１】
前記相手端基地局との間に前記第２リンクを確立する前に、前記相手端基地局と現在の第２リンクを確立する能力を表すための情報をインタラクションし、前記基地局と前記相手端基地局が現在いずれも第２リンクを確立する能力を備える際に、前記リンク確立ユニットが前記第２リンクを確立するように設定される能力情報インタラクションユニットを更に含む請求項１０に記載の基地局。
【請求項１２】
前記リンク確立ユニットは、
第１リンクによって前記相手端基地局と、第２リンクを確立するための情報をインタラクションするように設定される情報インタラクションモジュール、及び/又は
前記相手端基地局とアップリンク、ダウンリンク信号を同期するように設定される信号同期モジュールを含む請求項１０に記載の基地局。
【請求項１３】
前記第１リンクは有線リンクであり、前記基地局能力情報インタラクションユニット又は前記情報インタラクションモジュールは有線リンクのＸ２インターフェイス又はＳ１インターフェイスの従来又は新規メッセージによって情報をインタラクションする請求項１１又は１２に記載の基地局。
【請求項１４】
前記第２リンクは無線リンクであり、前記第２リンクを確立するための情報は、
前記基地局が分配した前記第２リンクにおいて前記相手端基地局を識別するための識別情報、
前記第２リンク用の前記基地局がサポートする安全関連能力情報、
前記第２リンク用の安全関連メカニズム又はアルゴリズム、
前記第２リンク用の安全関連メカニズム又はアルゴリズムのパラメータ、
前記第２リンク用の前記相手端基地局の無線能力関連情報、のうちの少なくとも１つを含む請求項１２に記載の基地局。
【請求項１５】
同期のダウンリンク信号は、プライマリー同期信号（ＰＳＳ）、セカンダリ同期信号（ＳＳＳ）、セル参照信号（ＣＲＳ）のうちの少なくとも１つを含み、
同期用アップリンク信号は、探知参照信号（ＳＲＳ）、復調参照信号（ＤＭＲＳ）、プリアンブル配列（ｐｒｅａｍｂｌｅ）のうちの少なくとも１つを含む請求項１２に記載の基地局。
【請求項１６】
前記信号同期モジュールは、
第１リンク又は無線方式によって同期用アップリンク信号を、該基地局と第１リンクによって通信する相手端基地局に送信するように設定されるアップリンク信号送信サブモジュール、
受信した同期用アップリンク信号に基づきタイミング調整量を確定し、且つ第１リンク又は無線方式によって前記タイミング調整量を、該基地局と第１リンクによって通信する相手端基地局に送信するように設定されるタイミング調整量送信サブモジュール、
前記タイミング調整量に基づき第１リンクによって通信する相手端基地局との間のアップリンク同期を達成するように設定されるアップリンク同期サブモジュール、を含む請求項１２に記載の基地局。
【請求項１７】
前記アップリンク信号送信サブモジュールは、特定のリソースを使用して或いは特定のリソース集合から特定のリソースを選択して同期用アップリンク信号を送信し、
前記信号同期モジュールは、第１リンク又は無線方式のブロードキャスト又はユニキャストメッセージによって前記特定のリソース又は特定のリソース集合を送信するように設定されるリソース情報送信モジュールを更に含む請求項１６に記載の基地局。
【請求項１８】
前記通信ユニットは第２リンクによってユーザプレーン遅延敏感情報を伝送し及び物理層制御情報、ＭＡＣ層制御情報又はＲＲＣ層専用シグナリングによってコントロールプレーン遅延敏感情報を伝送する請求項１０に記載の基地局。
【請求項１９】
第１基地局及び第２基地局を含む通信システムであって、前記第１基地局と前記第２基地局との間に通信用の第１リンクと第２リンクが存在し、前記第１基地局と第２基地局は、第１リンク及び/又は第２リンクによって第１基地局又は第２基地局と通信するように設定される通信ユニットを含むことを特徴とする通信システム。
【請求項２０】
前記第１基地局及び前記第２基地局は、
伝送しようとする情報の属性又はリンクの負荷状況情况に基づき前記通信ユニットの通信するためのリンクを確定するように設定されるリンク確定ユニットを更に含む請求項１９に記載の通信システム。
【請求項２１】
前記リンク確定ユニットは、伝送しようとする情報が非遅延敏感情報である場合に、通信用のリンクが第１リンクであると確定し、伝送しようとする情報が遅延敏感情報である場合に、通信用のリンクが第２リンクであると確定するように設定される請求項１９に記載の通信システム。
【請求項２２】
前記第１リンクは有線リンクであり、前記第２リンクは無線リンクである請求項２１に記載の通信システム。
【請求項２３】
前記通信ユニットは、前記第１リンクと前記第２リンクを同時に使用して通信し、又は時分割方式によって前記第１リンクと前記第２リンクを使用して通信するように設定される請求項１９に記載の通信システム。  
【発明の詳細な説明】
【技術分野】
【０００１】
本発明は無線通信技術分野に関し、具体的に、リンク確立の方法、基地局及びシステムに関する。
【背景技術】
【０００２】
無線マルチメディアサービスの発展に伴って、人々の高いデータレートとユーザーエクスペリエンスに対する需要は日々に増加するため、従来のセルラーネットワークのシステム容量とカバレッジに対して高い要求が求められている。従来のＬＴＥセルラーネットワークにおいて、マクロ基地局は唯一のアクセス側ネット要素としてＵＥのためにアクセスサービスを提供する。ユーザの高いデータレートに対する需要を満たしてセルラーネットワークのスペクトル効率を向上させるために、３ＧＰＰは低消費電力ノード（ＬＰＮ）を導入してマクロ基地局の補充としてＵＥのためにアクセスサービスを提供する。ＬＰＮは低コスト、低電力、配置しやすい等の特徴を有し、一般的にホットスポット配置とカバレッジ強化という２種の配置シーンを有し、効果的に室内又は室外のホットスポット領域における高速データサービスのデータレートを向上させ、遠隔地域又はセルエッジのカバレッジを改善することができる。一般的に、ＬＰＮは小型基地局と呼ばれてもよく、ホーム基地局（ＨｅＮＢ）、ピコ基地局(ｐｉｃｏ)、リモート無線ユニット/リモート無線ヘッド（ＲＲＵ/ＲＲＨ、ＲＲＵ（Remote Radio Unit）、ＲＲＨ（Remote Radio Head））、リレーノード（ＲＮ）等を含む。
【０００３】
ホットスポットの配置シーンでは、高いデータレートとスペクトル効率を達成するために、領域内で集中して大量に小型基地局を配置する必要がある。このような配置シーンでは一連の問題が存在する。まず、小型基地局のカバレッジ範囲が小さいため、中高速で移動するＵＥが小型基地局を通過する場合にハンドオーバーの失敗が発生する確率が大きくなり、ＵＥのサービス継続性に影響し、次に、マクロ基地局は隣接小型基地局でのＵＥに対しひどい干渉を発生するため、マクロ基地局と小型基地局の間で干渉管理及び協調を行う必要がある。ＵＥの移動性問題を解決するために、業界においては、マクロ基地局が基本的なカバレッジを確保し、ＵＥは常にマクロ基地局とＲＲＣ（Radio Resource Control）接続を保持し、小型基地局を送信点（transmission point、ＴＰ）だけとして、より高いデータ率を提供してユーザの節電需要を満たす方法を提供した。このような方法では、マクロ基地局と小型基地局の間に遅延に敏感であるＵＥ送信ノード設定又は管理シグナリングをインタラクションする必要がある。同様に、干渉問題を解決するために、マクロ基地局と小型基地局は更に頻繁的に遅延に敏感である干渉協調関連シグナリングをインタラクションする必要もある。これはマクロ基地局と小型基地局との間のバックホールリンクの性能（特にバックホールリンクの遅延）に対して高い要求を求める。同時に、小型基地局とマクロ基地局の間で更にサービスデータを伝送する必要もあり、その一部のサービスデータ、例えば音声/ビデオサービスは遅延に対する要求が高く、他の一部のサービスデータ、例えばファイルのダウンロード等は遅延に対する要求が低い。
【０００４】
小型基地局は、ｘＤＳＬ、ｃａｂｌｅ等のバックホール方式によってオペレータネットワークにアクセスするマクロ基地局との接続方式で、小型基地局とマクロ基地局とのバックホールリンクの遅延需要を満たすことができない。
【発明の概要】
【発明が解決しようとする課題】
【０００５】
本発明が解決しようとする技術問題は、従来のバックホールリンクが遅延需要を満たすことができない問題を解決するために、リンクの確立方法、基地局及びシステムを提供することである。
【課題を解決するための手段】
【０００６】
上記の技術問題を解決するために、本発明はリンクの確立方法を提供し、前記方法は、
第１基地局と第２基地局が前記第１基地局と前記第２基地局との間の第１リンクによって第２リンクを確立することと、前記第１基地局と前記第２基地局が前記第１リンク及び/又は第２リンクによって通信することと、を含む。
【０００７】
好ましくは、前記第１基地局と前記第２基地局が前記第２リンクを確立する前に、前記第１基地局と前記第２基地局は、現在の第２リンクを確立する能力を表すための情報をインタラクションし、前記第１基地局と前記第２基地局が現在いずれも第１リンクによって第２リンクを確立する能力を備える際に、前記第２リンクを確立する。
【０００８】
好ましくは、前記第１基地局と前記第２基地局が前記第２リンクを確立するステップは、
第１基地局が第１リンクによって第２基地局と第２リンクを確立するための情報をインタラクションすること、
及び/又は、前記第１基地局と前記第２基地局がアップリンク及び/又はダウンリンク同期を行うことを含む。
【０００９】
好ましくは、前記第１リンクは有線リンクであり、前記第１基地局と前記第２基地局は有線リンクのＸ２インターフェイス又はＳ１インターフェイスの従来又は新規メッセージによって情報をインタラクションする。
【００１０】
前記第２リンクは無線リンクであり、前記第２リンクを確立するための情報は、前記第１基地局が分配した、前記第２リンクにおいて前記第２基地局を識別するための識別情報、前記第２リンク用の前記第１基地局及び/又は前記第２基地局がサポートする安全関連能力情報、前記第２リンク用の安全関連メカニズム又はアルゴリズム、前記第２リンク用の安全関連メカニズム又はアルゴリズムのパラメータ、前記第２リンク用の前記第２基地局の無線能力関連情報、のうちの少なくとも１つを含む。
【００１１】
ダウンリンク同期用信号は、プライマリー同期信号（ＰＳＳ）、セカンダリ同期信号（ＳＳＳ）、セル参照信号（ＣＲＳ）のうちの少なくとも１つを含み、アップリンク同期用信号は、探知参照信号（ＳＲＳ）、復調参照信号（ＤＭＲＳ）、プリアンブル配列（ｐｒｅａｍｂｌｅ）のうちの少なくとも１つを含む。
【００１２】
好ましくは、前記第１基地局と前記第２基地局がアップリンク同期を行うステップは、
前記第２リンクが無線リンクである場合に、前記第２基地局が無線方式によってアップリンク同期用信号を送信することと、
前記第１基地局が、受信したアップリンク同期用信号に基づき前記第１基地局のタイミング調整量を確定し、且つ第１リンク又は無線方式によって前記タイミング調整量を前記第２基地局に送信することと、
前記第２基地局が、受信した前記タイミング調整量に基づき前記第１基地局との間のアップリンク同期を達成することと、を含む。  
【００１３】
前記第２基地局は、特定のリソースを使用して或いは特定のリソース集合から特定のリソースを選択してアップリンク同期用信号を送信し、前記特定のリソース又は特定のリソース集合は、前記第１基地局により第１リンク又は無線方式によって前記第２基地局に送信される。
【００１４】
前記第２リンクは無線リンクであり、前記第１基地局と前記第２基地局が前記第２リンクによって通信するのは、ユーザプレーン遅延敏感情報を伝送すること、及び物理層制御情報、ＭＡＣ層制御情報又はＲＲＣ層専用シグナリングによってコントロールプレーン遅延敏感情報を伝送することを含む。
【００１５】
上記の技術問題を解決するために、本発明は基地局を更に提供し、前記基地局は、第１リンクによって通信する相手端基地局との間に第２リンクを確立するように設定されるリンク確立ユニット、前記第１リンク及び/又は第２リンクによって前記相手端基地局と通信するように設定される通信ユニットを含む。
【００１６】
上記技術問題を解決するために、本発明は通信システムを更に提供し、第１基地局及び第２基地局を含み、前記第１基地局と前記第２基地局との間で通信するための第１リンク及び第２リンクが存在し、前記第１基地局及び第２基地局は、第１リンク及び/又は第２リンクによって第１基地局又は第２基地局と通信するように設定される通信ユニットを含む。
【００１７】
好ましくは、前記第１基地局及び前記第２基地局は、伝送しようとする情報の属性又はリンクの負荷状況に基づき前記通信ユニットの通信用リンクを確定するように設定されるリンク確定ユニットを更に含む。
【００１８】
好ましくは、前記リンク確定ユニットは、伝送しようとする情報が非遅延敏感情報である場合に、前記リンク確定ユニットは通信用リンクが第１リンクであるのを確定し、伝送しようとする情報が遅延敏感情報である場合に、前記リンク確定ユニットは通信用リンクが第２リンクであるのを確定するように設定される。
【００１９】
前記第１リンクは有線リンクであり、前記第２リンクは無線リンクである。
【００２０】
好ましくは、前記通信ユニットは、前記第１リンクと前記第２リンクを同時に使用して通信し又は時分割方式によって前記第１リンク及び前記第２リンクを使用して通信するように設定される。
【発明の効果】
【００２１】
従来の技術と比べて、本発明の実施例におけるリンクの確立方法、基地局及び通信システムは、既存の第１リンクによって、２つの基地局の間に第２リンクを確立して、２つの基地局は第１リンク及び/又は第２リンクによって通信でき、更に伝送しようとする情報の属性（主に遅延に対する敏感度に基づく）及び/又はリンクの負荷状況に基づき第１リンク又は第２リンクを使用して伝送するのを確定し、サービス需要を満たすと同時に最大限にエアインターフェイスリンクリソースを節約することができる。
【図面の簡単な説明】
【００２２】
【図１】図１は、小型基地局の設置でのシーン模式図である。
【図２】図２は、本発明におけるリンクの確立方法の実施例１の模式図である。
【図３】図３は、本発明におけるリンクの確立方法の実施例２の模式図である。
【図４】図４は、第１基地局と前記第２基地局がアップリンク信号を同期する過程模式図である。
【図５】図５は、本発明の実施例の方法応用を示すシーン模式図である。
【図６】図６は、本発明の実施例の方法による小型基地局とマクロ基地局との間のインターフェイスプロトコルスタック例示を示す模式図である。
【図７】図７は、本発明の方法による適用例１のフローチャートである。
【図８】図８は、本発明の方法による適用例２のフローチャートである。
【図９】図９は、小型基地局とマクロ基地局との間に第２リンクのアップリンク同期を行う過程模式図である。
【図１０】図１０は、小型基地局とマクロ基地局との間に第２リンクのアップリンク同期を行う過程模式図である。
【図１１】図１１は、本発明における基地局実施例のモジュール構造模式図である。
【図１２】図１２は、図１１における信号同期モジュールのモジュール構造模式図である。
【図１３】図１３は、本発明の実施例における通信システムのモジュール構造模式図である。
【発明を実施するための形態】
【００２３】
従来、マクロ基地局と小型基地局の間のバックホールリンクは、光ファイバ、ｘＤＳＬ、ｃａｂｌｅに基づいたものである可能性があり、図１は、関連小型基地局の設置でのシーン模式図である。図１に示すように、小型基地局１、小型基地局２とマクロ基地局の間に、光ファイバ又は有線ＩＰバックホールリンクが存在する可能性がある。通常、小型基地局がオペレータにより配置される場合に、小型基地局とマクロ基地局の間に光ファイバ接続がある可能性があり、このようなバックホールリンクは理想的な状況であり、インターフェイス遅延は、通常２.５usより低い。小型基地局は、ホームユーザ或いは企業ユーザにより自分或いはオペレータの助けで設置され、且つＩＰバックホールによってオペレータネットワークに接続され（例えば、ｘＤＳＬ、ｃａｂｌｅを介する）、例えば小型基地局３、小型基地局４及び小型基地局５である。このような設置シーンで、小型基地局とマクロ基地局との間のバックホールリンクは非理想的な状況であり、インターフェイス遅延は、ひいては６０msに達する可能性がある。
【００２４】
また、小型基地局は更に無線バックホールによってマクロ基地局に接続されてもよく、例えばリレーノード（relay node、ＲＮ）のエアインターフェイスの無線接続等の方式である。ＲＮは、そのセルにアクセスするＵＥに普通のｅＮＢと類似する機能とサービスを提供し、また無線インターフェイスによって普通のＵＥと類似する方式でそれにサービスを提供するｅＮＢ（ＤｅＮＢと略称し、ドナー基地局）にアクセスし、このようなＲＮとＤｅＮＢとの間の無線バックホールリンクの遅延は、通常５〜３５msであり、ＩＰバックホールによる有線方式（例えば、ｘＤＳＬ、ｃａｂｌｅ）と比べて、性能がよい。しかしながら、ＲＮは厄介なアタッチ、認証及びベアラー確立フローを通過しなければＤｅＮＢと無線エアインターフェイスリンクを確立できなく、大量のエアインターフェイス及びコアネットワークシグナリングのオーバーヘッドを発生し、且つ長いエアインターフェイスの確立時間がかかる必要がある。
【００２５】
以下、図面と具体的な実施例を参照して、本発明の技術的解決手段をより詳しく説明する。これにより、当業者は、本発明をよりよく理解して実施することが可能になるが、例示した実施例は、本発明を制限するものではない。なお、矛盾しない場合に、本願における実施例及び実施例における特徴を互いに組み合わせることができる。
【００２６】
実施例１
図２に示すように、本発明のリンクの確立方法の実施例１は、以下のステップ201〜ステップ202を含む。
【００２７】
ステップ201： 第１基地局と第２基地局は、前記第１基地局と前記第２基地局との間の第１リンクによって第２リンクを確立し、
第１基地局と第２基地局は、設定情報に基づき相手方が備える第２リンクを確立する能力の情報を知る。
【００２８】
前記第１基地局と前記第２基地局は、現在いずれも第１リンクによって第２リンクを確立する能力を備える際に、前記第２リンクを確立する。
【００２９】
前記第１基地局と前記第２基地局が前記第２リンクを確立するステップは、第２基地局が第１リンクによって第１基地局と第２リンクを確立するための情報をインタラクションすることを含むが、これに制限されない。
【００３０】
好ましくは、前記第１リンクは有線リンクであり、前記第２リンクは無線リンクであり、前記第１基地局と前記第２基地局は有線リンクのＸ２インターフェイス又はＳ１インターフェイスの従来又は新規メッセージによって情報をインタラクションする。
【００３１】
前記第２リンクは無線リンクであり、前記第２リンクを確立するための情報は、
前記第１基地局が分配した前記第２リンクにおいて前記第２基地局を識別するための識別情報、
前記第２リンク用の前記第２基地局及び/又は前記第１基地局がサポートする安全関連能力情報、
前記第２リンク用の安全関連メカニズム又はアルゴリズム、
前記第２リンク用の安全関連メカニズム又はアルゴリズムのパラメータ、
前記第２リンク用の前記第２基地局の無線能力関連情報、のうちの少なくとも１つを含む。
【００３２】
前記第１基地局はマクロ基地局である。なお、マクロ基地局は小型基地局に切り替えられてもよく、例えば、該小型基地局は１グループの小型基地局（例えば図１における小型基地局１〜５）のヘッドであり、一部の管理制御機能を備えることができる。前記第２基地局は小型基地局であり、ホーム基地局（ＨｅＮＢ）、ピコ基地局(ｐｉｃｏ)、リモート無線ユニット（ＲＲＵ）、リモート無線ヘッド（ＲＲＨ）、リレーノード（ＲＮ）等を含む。
【００３３】
理解可能なように、本発明の実施例において、分配識別情報を有する基地局は管理機能を備える基地局であり、例えばマクロ基地局であってよく、これにより、それと第１リンク又は第２リンクによって通信する相手端基地局を管理する。
【００３４】
ステップ202： 第１基地局と前記第２基地局は、前記第１リンク及び/又は第２リンクによって通信する。
【００３５】
この時、第２基地局と第１基地局との間に同時に通信用の第１リンクと第２リンクが存在し、前記第２基地局と前記第１基地局は、伝送しようとする情報の属性に基づき前記第１リンク又は第２リンクを使用して伝送するのを確定し、例えば、前記第２基地局と前記第１基地局は、前記第２リンクによって遅延敏感情報を伝送して、且つ第１リンクによって非遅延敏感情報を伝送する。
【００３６】
或いは、前記第２基地局と前記第１基地局は、前記第１リンク及び/又は前記第２リンクの負荷状況に基づき前記第１リンク又は第２リンクによって伝送することを確定し、具体的に、前記第２基地局と前記第１基地局は、同時に前記第１リンクと前記第２リンクによって通信でき、或いは、前記第２基地局と前記第１基地局は、時分割方式で前記第１リンクと前記第２リンクを使用して通信する。
【００３７】
第１リンクと第２リンクにおける遅延が小さいリンクは、遅延敏感情報を伝送することに用いられることができ、例えば、前記第２リンクが無線リンクであり且つ遅延が第１リンクより小さいならば、前記第１基地局と前記第２基地局が前記第２リンクによって通信するのは、ユーザプレーン遅延敏感情報を伝送すること、及び物理層制御情報、ＭＡＣ層制御情報又はＲＲＣ層専用シグナリングによってコントロールプレーン遅延敏感情報を伝送すること、を含む。
【００３８】
実施例２
図３に示すように、本発明におけるリンクの確立方法の実施例２は、以下のステップ301〜ステップ303を含む。
【００３９】
ステップ301： 前記第１基地局と前記第２基地局は、現在の第２リンクを確立する能力を表すための情報をインタラクションし、
前記現在の第２リンクを確立する能力を表すための情報は、前記第２基地局又は前記第１基地局が、現在、前記第１リンクによって前記第２リンクを確立する能力を備えるかどうかを指示するためのものである。
【００４０】
好ましくは、前記第１リンクは有線リンクであり、前記第２リンクは無線リンクであり、前記第１基地局と前記第２基地局は、有線リンクのＸ２インターフェイス又はＳ１インターフェイスの従来又は新規メッセージによって、現在のリンクの確立能力を表すための情報をインタラクションする。
【００４１】
ステップ302： 前記第１基地局と前記第２基地局が、現在いずれも第２リンクを確立する能力を備える場合に、第１基地局と第２基地局は、前記第１基地局と前記第２基地局の間の第１リンクによって第２リンクを確立し、
前記第１基地局と前記第２基地局が前記第２リンクを確立するステップは、
第１基地局が第１リンクによって第２基地局と第２リンクを確立するための情報をインタラクションすることと、
前記第１基地局と前記第２基地局がアップリンク及び/又はダウンリンク同期を行うことと、を含む。
【００４２】
前記第２リンクは無線リンクであり、前記第２リンクを確立するための情報は、
前記第１基地局が分配した前記第２リンクにおいて前記第２基地局を識別するための識別情報、
前記第２リンク用の前記第２基地局及び/又は前記第１基地局がサポートする安全関連能力情報、
前記第２リンク用の安全関連メカニズム又はアルゴリズム、
前記第２リンク用の安全関連メカニズム又はアルゴリズムのパラメータ、
前記第２リンク用の前記第２基地局の無線能力関連情報、のうちの少なくとも１つを含む。
【００４３】
前記第１基地局と前記第２基地局が前記第２リンクを確立するステップは、前記第１基地局と前記第２基地局がアップリンク及び/又はダウンリンク同期を行うことを含むが、これに制限されない。
【００４４】
ダウンリンク同期用信号は、プライマリー同期信号（ＰＳＳ）、セカンダリ同期信号（ＳＳＳ）、セル参照信号（ＣＲＳ）のうちの少なくとも１つを含み、アップリンク同期用信号は、プライマリー同期信号（ＰＳＳ）、セカンダリ同期信号（ＳＳＳ）、セル参照信号（ＣＲＳ）のうちの少なくとも１つを含み、
同期用アップリンク信号は、探知参照信号（ＳＲＳ）、復調参照信号（ＤＭＲＳ）、プリアンブル配列（ｐｒｅａｍｂｌｅ）のうちの少なくとも１つを含む。
【００４５】
図４に示すように、前記第１基地局と前記第２基地局がアップリンク信号を同期するステップは、以下のステップ401〜ステップ403を含む。
【００４６】
ステップ401： 前記第２リンクが無線リンクである場合に、前記第２基地局は、無線方式によってアップリンク同期用信号を送信し、  
前記第２基地局は、特定のリソースを使用して或いは特定のリソース集合から特定のリソースを選択して、同期用アップリンク信号を前記第１基地局に送信し、前記特定のリソース又は特定のリソース集合は、前記第１基地局により第１リンク又は無線方式のブロードキャスト又はユニキャストメッセージによって前記第２基地局に送信される。
【００４７】
ステップ402： 前記第１基地局は、受信したアップリンク同期用信号に基づき前記第２基地局のタイミング調整量を確定し、且つ第１リンク又は無線方式を使用して前記タイミング調整量を前記第２基地局に送信し、
ステップ403： 前記第２基地局は、受信した前記タイミング調整量に基づき前記第１基地局との間のアップリンク同期を達成する。
【００４８】
ステップ303： 前記第１基地局と前記第２基地局は、前記第１リンク及び/又は第２リンクによって通信する。
【００４９】
前記第１基地局と前記第２基地局との通信は、ユーザプレーンデータを伝送すること、及び物理層制御情報、ＭＡＣ制御ユニット又はＲＲＣ専用情報によってコントロールプレーンデータの遅延敏感情報を伝送すること、を含む。
【００５０】
この時、第１基地局と第２基地局の間に同時に２つの通信リンク、即ち第１リンクと第２リンクが存在する。第１基地局と第２基地局は、伝送しようとする情報の属性（主に遅延に対する敏感度に基づく）及び/又はリンクの負荷状況に基づき、第１リンク又は第２リンクによって伝送するのを確定する。第１基地局と第２基地局は、更に同時に第１リンクと第２リンクを使用して通信してもよい。
【００５１】
代わりに、上記の実施例において、前記第１基地局と前記第２基地局が前記第２リンクを確立するステップは、第２基地局が第１リンクによって第１基地局に第２リンクを確立するための情報をインタラクションすること、及び前記第１基地局と前記第２基地局がアップリンク、ダウンリンク信号を同期すること、を含むことができる。
【００５２】
上記の実施例において、第２基地局（例えば小型基地局）は、第１基地局との間の第１リンクによって、第１基地局（例えばマクロ基地局）と遅延が小さい第２リンク（即ち無線バックホールリンク）を確立して、遅延敏感のシグナリング又はデータのインタラクションに用いられ、エアインターフェイス及びコアネットワークシグナリングオーバーヘッドを節約する。同時に、小型基地局とマクロ基地局との間の通信のロバスト性を向上させることができ、且つ小型基地局又はマクロ基地局は、伝送しようとするサービスタイプに基づき（主にサービスの遅延に対する敏感度に基づく）サービスシャントを行うことができ、サービスの需要を満たすと同時に最大限にエアインターフェイスリンクリソースを節約する。例えば、干渉協調又は負荷管理又はＵＥ送信ノード設定に関連する物理層制御情報/ＭＡＣ制御ユニット/ＲＲＣ専用シグナリング、或いは音声/ビデオサービスデータは遅延敏感情報であり、無線バックホールリンクインターフェイス管理関連シグナリング又はファイルのダウンロードタイプのサービスデータは非遅延敏感情報である。また、小型基地局又はマクロ基地局は第１リンク又は第２リンクの負荷が重いことを検出すると、他のリンクによって通信してもよい。
【００５３】
以下、適用例を参照して本発明の方法を説明する。
【００５４】
本発明の実施例による技術的解決手段はセルラー通信システムに適用でき、該通信システムは、基地局、ユーザ装置（ＵＥ）、モビリティ管理エンティティ（ＭＭＥ）を少なくとも含む。ユーザ装置は、セルラー電話、コードレス電話、会議開始プロトコル（ＳＩＰ）電話、無線ローカルループ局（ＷＬＬ）、パーソナルディジタルアシスタント（ＰＤＡ）、無線接続機能を有するハンドヘルド機器、計算装置、又は無線変調復調器に接続されるその他の処理装置であってよい。基地局は無線端末と通信することに用いられ、アクセスポイント、ノードＢ又はその他の術語で呼ばれることができる。基地局と無線端末の間にセルラー通信を行ってもよく、セルラー通信は、ＧＳＭ、ＣＤＭＡ、ＷＣＤＭＡ、ＴＤ-ＳＣＤＭＡ、ＵＭＴＳ、ＬＴＥ及びセルラーネットワーク技術を使用するその他の通信を含むことができる。
【００５５】
以下、図面及び適用例を参照して技術的解決手段の実施をより詳しく説明する。
【００５６】
図５は、本発明の方法によるシーン模式図である。図２に示すように、マクロ基地局と小型基地局３、４、５との間にＩＰバックホールリンクが存在する以外、エアインターフェイスリンク、即ち本発明の方法における第２リンクが存在する。マクロ基地局と小型基地局３、４、５との間のＩＰバックホールリンク及びエアインターフェイスリンクは同時に存在でき、且つ負荷状況又はサービス需要に基づきＩＰバックホールリンク又はエアインターフェイスリンクを選択して伝送する。
【００５７】
図６は、本発明の方法による小型基地局とマクロ基地局との間の第２リンクインターフェイスが小型基地局がサービスを提供したＵＥのコントロールプレーンシグナリング及びユーザプレーンデータをベアラーするプロトコルスタック例示の模式図である。図６に示すように、ＵＥのコントロールプレーンシグナリング伝送層はＳＣＴＰプロトコルを採用し、第２リンクインターフェイスシグナリングの信頼的な伝送を確保する。Ｘ３-ＡＰプロトコルは、第２リンクインターフェイスがＵＥコントロールプレーンシグナリングをベアラーするアプリケーション層プロトコルであり、第２リンクインターフェイスシグナリングを処理及び生成することに用いられる。また、第２リンクインターフェイスがＵＥコントロールプレーンシグナリングをベアラーするアプリケーション層は、更にＬＴＥ基地局間のＸ２インターフェイスに使用されたＸ２-ＡＰプロトコルを採用してもよい。第２リンクインターフェイスがＵＥユーザプレーンデータをベアラーする伝送層は、ＵＤＰプロトコルを採用し、ユーザプレーンデータを効果的に伝送する。第２リンクインターフェイスがＵＥユーザプレーンデータをベアラーするアプリケーション層は、ＧＴＰ-Ｕプロトコルを採用する。上記から分かるように、第２リンクインターフェイスがＵＥユーザプレーンデータをベアラーするプロトコルスタックは、ＬＴＥにおいて基地局とＳＧＷとの間のＳ１-Ｕインターフェイス及び基地局との間のＸ２-Ｕインターフェイスと同様である。また、第２リンクインターフェイスプロトコルスタックが物理層だけを有する可能性があると、マクロ基地局と小型基地局との間に物理層制御情報によってインタラクションすることができ、或いは、第２リンクインターフェイスプロトコルスタックが物理層及びレイヤ２（層２）だけを有する可能性がある（ＭＡＣ、ＲＬＣ、ＰＤＣＰを含み、又はＭＡＣ層だけを有し、又はＭＡＣ及びＲＬＣ層だけを有する）と、マクロ基地局と小型基地局との間に物理層制御情報又はＭＡＣ制御情報によってインタラクションすることができ、また、マクロ基地局と小型基地局との間にエアインターフェイス（物理層、ＭＡＣ/ＲＬＣ/ＰＤＣＰ層、ＲＲＣ層を含む）が存在して小型基地局関連の制御情報をインタラクションすることに用いられる。
【００５８】
適用例１  
本実施例が説明したのは小型基地局とマクロ基地局が第１リンクによって第２リンクを確立する方法であり、図７は本実施例による方法のフローチャートである。図５に示すように、本実施例の前記方法は以下のステップ701〜ステップ709を含む。
【００５９】
ステップ701： 小型基地局とマクロ基地局との間で、現在の第２リンクを確立する能力を表すための情報をインタラクションする。
現在の第２リンクを確立する能力を表す情報は、リンク確立能力情報だけであってよく、このような場合は、小型基地局又はマクロ基地局はリンク確立能力を開く又は閉める機能を備えなく、対応的に、小型基地局又はマクロ基地局はリンク確立能力を開く又は閉める機能を備えると、現在の第２リンクを確立する能力を表す情報は、リンク能力情報を含む必要があり、現在、リンク能力を開く又は閉める指示情報を含む必要もある。
【００６０】
勿論、現在の第２リンクを確立する能力を表す情報は、上記の方式に制限されず、デフォルト設定の方式であってよい。
【００６１】
小型基地局とマクロ基地局との間に既に第１リンクが存在して、且つ第１リンクによって通信できる。選択的に、小型基地局とマクロ基地局は、第１リンクによって現在の第２リンクを確立する能力を表すための情報をインタラクションし、該基地局が第１リンクによって第２リンクを確立する能力を備えるかどうかを指示することに用いられる。本実施例において、第１リンクは有線リンクであり、例えば、ＤＳＬ又はｃａｂｌｅに基づく有線バックホールリンクであり、第２リンクは無線エアインターフェイスリンクである。
【００６２】
本適用例において、小型基地局とマクロ基地局は、いずれもこの第１リンクによって第２リンクを確立する能力を備える。小型基地局とマクロ基地局は、有線リンクに基づくＸ２インターフェイス又はＳ１インターフェイスメーセッジによってリンク確立能力情報をインタラクションすることができる。例えば、Ｘ２インターフェイスの、Ｘ２確立要求メーセッジ、Ｘ２確立応答メーセッジ、Ｘ２基地局設定更新メーセッジ、Ｘ２基地局設定更新確認メーセッジという従来のメーセッジによって行うことができ、更にＸ２リンク確立能力要求メーセッジ、Ｘ２リンク確立能力応答メーセッジ、Ｘ２リンク確立能力確認メーセッジという新しく追加したＸ２インターフェイスメーセッジによって行うこともできる。例えば、Ｓ１インターフェイスの従来の、基地局設定伝送メーセッジ、ＭＭＥ設定伝送メーセッジによって行うことができ、Ｓ１リンク確立能力要求メーセッジ、Ｓ１リンク確立能力応答メーセッジ、Ｓ１リンク確立能力確認メーセッジという新しく追加したＳ１インターフェイスメーセッジによって行うこともできる。
【００６３】
選択的に、マクロ基地局は更にそのリンク確立能力を開く指示情報を小型基地局に送信でき、該リンク確立能力を開く指示情報は、マクロ基地局のリンク確立能力が開くかどうかを指示する。マクロ基地局は、ＯＡＭ設定又は自分のエアインターフェイス負荷状況に基づきそのリンク確立能力を開く指示情報を設定することができる。例えば、マクロ基地局のエアインターフェイス負荷が重いと、そのリンク確立能力を開く指示情報を閉める。小型基地局は、リンク確立能力を備えて該機能を開いたマクロ基地局を選択する必要があり、且つそれと第１リンクによって第２リンクを確立する。
【００６４】
ステップ702： 該ステップは選択可能であり、小型基地局は、第１リンクによってマクロ基地局がそれに分配した識別情報を取得できる。
該識別情報は、第２リンクにおいて小型基地局を識別することに用いられる。該識別情報は、セル無線ネットワーク一時識別子（Ｃ-ＲＮＴＩ）である。小型基地局は、有線リンクに基づくＸ２インターフェイス又はＳ１インターフェイスメーセッジによって該識別情報を取得することができる。
【００６５】
ステップ703： 該ステップは選択可能であり、小型基地局とマクロ基地局は、第１リンクによって安全関連能力情報をインタラクションする。
該安全関連能力情報は、小型基地局又はマクロ基地局がサポートする第２リンク用の安全関連メカニズム又はアルゴリズムを指す。小型基地局とマクロ基地局は、有線リンクに基づくＸ２インターフェイス又はＳ１インターフェイスメーセッジによって安全関連能力情報をインタラクションすることができる。
【００６６】
ステップ704： 該ステップは選択可能であり、小型基地局とマクロ基地局は、第１リンクによって第２リンク用の安全メカニズム又はアルゴリズム、及び該安全メカニズム又はアルゴリズム用のパラメータを確定する。
小型基地局とマクロ基地局は、安全関連能力情報によって相手端基地局がサポートした安全関連能力をインタラクションして知り、そして第２リンク用の安全メカニズム又はアルゴリズムを確定する。選択的に、第２リンク用の安全関連メカニズム又はアルゴリズムは、ネットワーク層のＩＰｓｅｃ安全プロトコルに基づいたものであり、認証、完全性確保、暗号化等のプロトコルを含む。選択的に、該安全メカニズム又はアルゴリズム用のパラメータは、セキュリティキー、証明書等を含む。
【００６７】
ステップ705： 該ステップは選択可能であり、小型基地局は第１リンクによってその無線能力関連情報をマクロ基地局に送信する。
無線能力関連情報は、ＡＳバージョン情報、ＰＤＣＰ関連パラメータ、物理層関連パラメータ、無線周波数関連パラメータ、測定関連パラメータ、機能組み合わせ指示（feature group indicator、ＦＧＩと略称する）、アドホックネットワーク関連パラメータ、ＦＤＤ/ＴＤＤ総合能力情報、その他の能力情報等を含むことができる。マクロ基地局は、小型基地局の無線能力関連情報に基づき第２リンクの通信を管理及び設定することができる。
【００６８】
なお、ステップ701〜ステップ705の時間順序は、任意に組み合わせ又は互換できる。
【００６９】
ステップ706： 該ステップは選択可能であり、小型基地局とマクロ基地局は第２リンクにおいてダウンリンク同期を達成する。
小型基地局は、マクロ基地局の同期信号（例えば、マスタ同期序列ＰＳＳ、セカンダリ同期序列ＳＳＳ）及び/又は参照信号（例えば、セル参照信号ＣＲＳ）を検出する方法によって、マクロ基地局との間のダウンリンク同期を達成できる。選択的に、小型基地局とマクロ基地局の間の第２リンクがアップリンク単方向リンクであると、小型基地局は、マクロ基地局とダウンリンク同期を行う必要がない。
【００７０】
選択的に、小型基地局とマクロ基地局がダウンリンク同期を達成した後に、マクロ基地局を対応的に測定する。小型基地局は、マクロ基地局のＣＲＳに基づいて測定できる。次に、小型基地局は、測定結果を第１リンクによってマクロ基地局に送信でき、マクロ基地局は、測定結果に基づき、該小型基地局と第２リンクを確立するかどうかを判断する。
【００７１】
ステップ707： 該ステップは選択可能であり、小型基地局とマクロ基地局は、第２リンクにおいてアップリンク同期を達成する。
小型基地局によってアップリンク同期用信号をマクロ基地局に送信した後に、マクロ基地局は、該信号に基づきアップリンクタイミング調整量を計算し、小型基地局に送信して達成する。
【００７２】
小型基地局は、第２リンクにおいてアップリンク同期用信号を送信する。マクロ基地局は、第１リンク又は第２リンクにおいてアップリンクタイミング調整量を送信することができる。選択的に、マクロ基地局は、特定のアップリンク同期用信号に使用されたリソース又はリソース集合を小型基地局に送信することができる。マクロ基地局は、第１リンク又は第２リンクによって該特定のリソース又はリソース集合を送信することができる。リソース又はリソース集合は、タイムドメイン及び/又は周波数領域及び/又はコードドメインを含む。マクロ基地局がアップリンク同期信号を送信するための特定のリソースを小型基地局に送信すると、小型基地局は、該特定のリソースを使用してアップリンク同期用信号を送信し、マクロ基地局は、アップリンク同期信号を送信するための特定のリソース集合を小型基地局に送信すると、小型基地局は、該リソース集合から任意にリソースを選択してアップリンク同期用信号を送信し、アップリンク同期用信号は、探知参照信号（ＳＲＳ）、又は復調参照信号（ＤＭＲＳ）、又はプリアンブル配列（ｐｒｅａｍｂｌｅ）であってよい。選択的に、小型基地局とマクロ基地局との間の第２リンクがダウンリンク単方向リンクであると、小型基地局はマクロ基地局とアップリンク同期を行う必要がない。
【００７３】
ステップ708： 該ステップは選択可能であり、マクロ基地局は小型基地局のために第２リンクエアインタ・BR>[フェイスベアラーを確立する。
選択的に、小型基地局は、第１リンクによってマクロ基地局にベアラー確立要求を送信でき、その中に、確立しようとするベアラーのパラメータ情報、例えばＱｏｓパラメータ等を含むことができる。マクロ基地局は、小型基地局が要求したベアラーパラメータ情報及び自分の負荷状況に応じてアドミッション制御を行うことができる。選択的に、マクロ基地局は、更にサービス統計情報に基づき小型基地局のために対応的な第２リンクインターフェイスベアラーを確立することができる。選択的に、ベアラー確立要求は、第１リンクによって送信されることができる。選択的に、マクロ基地局は、第１リンク或いは第２リンクによって小型基地局のために対応的な第２リンクベアラーを確立することができる。マクロ基地局は、第２リンクによって小型基地局のために対応的な第２リンクベアラーを確立する前に、小型基地局はマクロ基地局と第２リンクのダウンリンク同期を完成する必要がある。
【００７４】
なお、ステップ708は、ステップ706及び/又は707の前に実行できる。
【００７５】
前記ステップ702〜ステップ708は、小型基地局とマクロ基地局がその間の第１リンクによって第２リンクを確立する過程である。
【００７６】
ステップ709： 小型基地局とマクロ基地局は、第１リンク及び/又は第２リンクによって通信する。
【００７７】
小型基地局とマクロ基地局との間に同時に２つの通信リンク、即ち第１リンク（有線ＩＰバックホールリンク）及び第２リンク（無線エアインターフェイスバックホールリンク）が存在できる。小型基地局とマクロ基地局は、伝送しようとする情報の属性（主に遅延に対する敏感度に基づく）及び/又はリンクの負荷状況に基づき有線ＩＰバックホールリンク或いは無線エアインターフェイスバックホールリンクによって伝送することを確定する。且つ小型基地局とマクロ基地局との間では同時に有線ＩＰバックホールリンクと無線エアインターフェイスバックホールリンクによって通信できる。
【００７８】
通常、無線エアインターフェイスバックホールリンクは、有線ＩＰバックホールリンクと比べて遅延が低く、遅延敏感の制御シグナリング/情報又はデータを伝送することに用いられることができる。有線ＩＰバックホールリンクは、非遅延敏感の制御シグナリング又はユーザプレーンデータを伝送することに用いられることができ、サービス需要を満たすと同時に最大限にエアインターフェイスリンクリソースを節約することができる。例えば、小型基地局とマクロ基地局は無線エアインターフェイスバックホールリンクによって、干渉協調又は負荷管理又はＵＥ送信ノード設定用関連の物理層制御情報/ＭＡＣ制御情報/ＲＲＣ専用シグナリングを伝達し、或いは遅延敏感のユーザプレーンデータを伝達することに用いられることができ、インターフェイス管理関連シグナリング又は非遅延敏感のユーザプレーンデータは、有線ＩＰバックホールリンクによってベアラーされることができる。
【００７９】
また、マクロ基地局と小型基地局との間の第２リンクを確立した後に、マクロ基地局は、更にＯＡＭ設定又は自分の負荷状況に基づき該第２リンクをディアクティベーションしてもよい。例えば、マクロ基地局によってサービスされた普通ＵＥのエアインターフェイス負荷が重いと、それと小型基地局との間の第２リンクをディアクティベーションすることができる。マクロ基地局は、第２リンクによって物理層制御情報/ＭＡＣ制御ユニット/ＲＲＣ専用シグナリングを送信して、第２リンクのディアクティベーションを実行できる。マクロ基地局は、第１リンクのＸ２/Ｓ１インターフェイスシグナリングによって、該第２リンクをディアクティベーションすることができる。小型基地局は、該第２リンクのディアクティベーションシグナリングを受信した後に、該第２リンクを解放して、且つ該リンクに関連するコンテキスト、例えばマクロ基地局が小型基地局に分配した識別情報等を解放する必要がある。一方で、マクロ基地局は、更にＯＡＭ設定又は自分の負荷状況に基づき、該第２リンクを再アクティブ化することができる。例えば、マクロ基地局によりサービスされた普通ＵＥのエアインターフェイス負荷が軽いと、それと小型基地局との間の第２リンクを再アクティブ化することができる。マクロ基地局は、第１リンクのＸ２/Ｓ１インターフェイスシグナリングによって該第２リンクを再アクティブ化できる。小型基地局は、該再アクティブ化シグナリングを受信した後に、該マクロ基地局との第２リンク確立の過程を再実行することができる。
【００８０】
適用例２  
以下で説明するのは、小型基地局とマクロ基地局との間の第２リンク確立の方法であり、図８に示すように、小型基地局とマクロ基地局との間に既に第１リンクが存在し、且つ第１リンクによって通信でき、前記方法は、以下のステップ801〜ステップ803を含む。
【００８１】
ステップ801： 小型基地局は、第１リンクによって第２リンク確立要求をマクロ基地局に送信する。
本実施例において、第１リンクは有線リンクであり、例えば、ＤＳＬ又はｃａｂｌｅに基づいた有線バックホールリンクであり、第２リンクは無線エアインターフェイスリンクである。
【００８２】
小型基地局は、有線リンクに基づくＸ２インターフェイス又はＳ１インターフェイスメーセッジによって第２リンク確立要求を送信できる。例えば、Ｘ２インターフェイスの従来の、Ｘ２確立要求メーセッジ、Ｘ２基地局設定更新メーセッジによって送信でき、Ｘ２リンク確立要求メーセッジという新しく追加したＸ２インターフェイスメーセッジによって送信できる。例えば、Ｓ１インターフェイスの従来の、基地局設定伝送メーセッジによって送信でき、更に、Ｓ１リンク確立要求メーセッジという新しく追加したＳ１インターフェイスメーセッジによって送信できる。選択的に、Ｘ２インターフェイス又はＳ１インターフェイスメーセッジに含まれた第２リンク確立要求には、第２リンク用の小型基地局の安全関連能力情報及び/又は無線能力関連情報が含まれることができる。選択的に、Ｘ２インターフェイス又はＳ１インターフェイスメーセッジに含まれた第２リンク確立要求には更に、第２リンク確立要求指示情報が含まれることができる。安全関連能力情報は小型基地局がサポートした第２リンク用の安全メカニズム又はアルゴリズムを指示する。無線能力関連情報は、ＡＳバージョン情報、ＰＤＣＰ関連パラメータ、物理層関連パラメータ、無線周波数関連パラメータ、測定関連パラメータ、機能組み合わせ指示（feature group indicator、ＦＧＩと略称する）、アドホックネットワーク関連パラメータ、ＦＤＤ/ＴＤＤ総合能力情報、その他の能力情報等を含むことができる。選択的に、小型基地局は第２リンク確立要求において確立しようとするベアラーのパラメータ情報、例えばＱｏｓパラメータ等を含むことができる。小型基地局とマクロ基地局の間にＸ２インターフェイスが存在すると、該第２リンク確立要求はＸ２インターフェイスメーセッジによって送信され、小型基地局とマクロ基地局との間にＸ２インターフェイスが存在しなく、Ｓ１インターフェイスだけが存在すると、該第２リンク確立要求はＳ１インターフェイスメーセッジによって送信され、該Ｓ１インターフェイスメーセッジはＭＭＥの転送を通過する必要がある。
【００８３】
ステップ802： マクロ基地局は、第１リンクによって第２リンク確立応答をマクロ基地局に送信する。
例えば、Ｘ２インターフェイスの従来の、Ｘ２確立応答メーセッジ、Ｘ２基地局設定更新確認メーセッジによって送信でき、更に、Ｘ２リンク確立応答メーセッジという新しく追加したＸ２インターフェイスメーセッジによって送信できる。例えば、Ｓ１インターフェイスの従来の、基地局設定伝送メーセッジによって送信でき、Ｓ１リンク確立応答メーセッジという新しく追加したＳ１インターフェイスメーセッジによって送信できる。選択的に、Ｘ２インターフェイス又はＳ１インターフェイスメーセッジに含まれた第２リンク確立応答には、第２リンク用のマクロ基地局の安全関連能力情報、又はマクロ基地局が確定した第２リンク用の安全関連メカニズム又はアルゴリズム及びパラメータが含まれることができる。選択的に、第２リンク確立応答には更に、マクロ基地局が小型基地局に分配した第２リンク用の識別情報が含まれることができ、例えば、該識別情報はセル無線ネットワーク一時識別子（Ｃ-ＲＮＴＩ）であってよい。安全関連能力情報はマクロ基地局がサポートした第２リンク用の安全メカニズム又はアルゴリズムを指示する。選択的に、マクロ基地局が確定した第２リンク用の安全関連メカニズム又はアルゴリズムはネットワーク層のＩＰｓｅｃ安全プロトコルに基づき、認証、完整性確保、暗号化等のプロトコルを含む。選択的に、該安全メカニズム又はアルゴリズム用のパラメータはセキュリティキー、証明書等を含む。選択的に、マクロ基地局は小型基地局が送信した第２リンク確立要求から、確立しようとするベアラーのパラメータ情報を受信すると、該情報に基づいてアドミッション制御を実行し、且つアドミッション制御の結果に基づき第２リンク確立応答によって対応的な第２リンクインターフェイスベアラーを確立する。選択的に、マクロ基地局は更にサービス統計情報に基づき小型基地局のために対応的な第２リンクインターフェイスベアラーを確立することができる。小型基地局とマクロ基地局との間にＸ２インターフェイスが存在すると、第２リンク確立応答はＸ２インターフェイスメーセッジによって送信され、小型基地局とマクロ基地局との間にＸ２インターフェイスが存在しなく、Ｓ１インターフェイスだけが存在すると、第２リンク確立応答はＳ１インターフェイスメーセッジによって送信され、該Ｓ１インターフェイスメーセッジはＭＭＥの転送を通過する必要がある。
【００８４】
ステップ803： 該ステップは選択可能であり、小型基地局は第１リンクによって第２リンク確立確認をマクロ基地局に送信する。
例えば、Ｘ２インターフェイスの従来の、Ｘ２基地局設定更新確認メーセッジによって送信でき、更に、Ｘ２リンク確立確認メーセッジという新しく追加したＸ２インターフェイスメーセッジによって送信できる。例えば、Ｓ１インターフェイスの従来の、基地局設定伝送メーセッジによって送信でき、更に、Ｓ１リンク確立確認メーセッジという新しく追加したＳ１インターフェイスメーセッジによって送信できる。選択的に、Ｘ２インターフェイス又はＳ１インターフェイスメーセッジに含まれた第２リンク確立要求には、小型基地局が確定した第２リンク用の安全関連メカニズム又はアルゴリズム及びパラメータが含まれることができる。小型基地局とマクロ基地局の間にＸ２インターフェイスが存在すると、該第２リンク確立確認はＸ２インターフェイスメーセッジによって送信され、小型基地局とマクロ基地局との間にＸ２インターフェイスが存在しなく、Ｓ１インターフェイスだけが存在すると、該第２リンク確立確認はＳ１インターフェイスメーセッジによって送信され、該Ｓ１インターフェイスメーセッジはＭＭＥの転送を通過する必要がある。
【００８５】
この時、第２リンク確立が完成され、小型基地局とマクロ基地局の間は第２リンクによって通信できる。小型基地局とマクロ基地局との間に同時に２つの通信リンク、即ち第１リンク（有線ＩＰバックホールリンク）及び第２リンク（無線エアインターフェイスバックホールリンク）が存在できる。小型基地局とマクロ基地局は、伝送しようとする情報の属性（主に遅延への敏感度に基づく）及び/又はリンクの負荷状況に基づき、有線ＩＰバックホールリンク或いは無線エアインターフェイスバックホールリンクによって伝送することを確定する。且つ小型基地局とマクロ基地局との間は同時に有線ＩＰバックホールリンクと無線エアインターフェイスバックホールリンクによって通信できる。
【００８６】
通常、無線エアインターフェイスバックホールリンクは有線ＩＰバックホールリンクと比べて遅延が低く、遅延敏感の制御シグナリング/情報又はデータを伝送することに用いられることができる。有線ＩＰバックホールリンクは非遅延敏感の制御シグナリング又はユーザプレーンデータを伝送することに用いられることができ、サービス需要を満たすと同時に最大限にエアインターフェイスリンクリソースを節約することができる。例えば、小型基地局とマクロ基地局は、無線エアインターフェイスバックホールリンクによって干渉協調又は負荷管理又はＵＥ送信ノード設定用関連の物理層制御情報/ＭＡＣ制御情報/ＲＲＣ専用シグナリングを伝達し、或いは遅延敏感のユーザプレーンデータを伝達することに用いられることができ、インターフェイス管理関連シグナリング又は非遅延敏感のユーザプレーンデータは有線ＩＰバックホールリンクによってベアラーされることができる。
【００８７】
なお、小型基地局とマクロ基地局の間で、第２リンクによって通信する前に、小型基地局は更にマクロ基地局とダウンリンク同期及びアップリンク同期を達成する必要がある。
【００８８】
以下、図面を参照して、小型基地局とマクロ基地局の間で第２リンクのアップリンク同期を行う過程を説明する。図９に示すように、以下のステップ901〜ステップ903を含む。
【００８９】
ステップ901： マクロ基地局は、小型基地局がアップリンク同期信号を送信するための特定のリソースを小型基地局に送信する。
マクロ基地局は、第１リンク又は無線方式によって該特定のリソースを送信できる。リソースはタイムドメイン及び/又は周波数領域及び/又はコードドメインを含むことができる。選択的に、該特定のリソースは第２リンク確立応答に含まれることができる。マクロ基地局は、無線方式によって該特定のリソースを送信する場合に、ＲＲＣ専用シグナリング、ＭＡＣセル、ＰＨＹ制御情報によって送信でき、且つマクロ基地局が小型基地局に分配したＣ-ＲＮＴＩによってアドレッシングする。このような方式で、マクロ基地局は、既に該ステップの前に第１リンクによって小型基地局のために分配したＣ-ＲＮＴＩを小型基地局に送信する。
【００９０】
ステップ902： 小型基地局は、無線アプリケーション層（即ち無線方式）によってアップリンク同期用信号を送信する。
アップリンク同期用信号は、探知参照信号（ＳＲＳ）、又は復調参照信号（ＤＭＲＳ）、又はプリアンブル配列（ｐｒｅａｍｂｌｅ）であってよい。
ステップ903： マクロ基地局は、小型基地局が送信したアップリンク同期用信号を受信した後に、アップリンクタイミング調整量を計算し、且つアップリンクタイミング調整量を第１リンク又は無線方式によって小型基地局に送信する。
【００９１】
マクロ基地局は、無線方式によって該アップリンクタイミング調整量を送信する場合に、ＲＲＣ専用シグナリング、ＭＡＣセル、ＰＨＹ制御情報によって送信でき、且つＲＡ-ＲＮＴＩ又はマクロ基地局が小型基地局に分配したＣ-ＲＮＴＩによってアドレッシングする。
【００９２】
小型基地局は、アップリンクタイミング調整量を受信した後に、受信したアップリンクタイミング調整量に基づきマクロ基地局と第２リンクにおけるアップリンク同期を達成する。
【００９３】
以下で説明するのは、小型基地局とマクロ基地局の間で第２リンクのアップリンク同期を行う他の方法であり、図１０に示すように、前記方法は以下のステップ1001〜ステップ1004を含む。
【００９４】
ステップ1001： マクロ基地局は、小型基地局がアップリンク同期信号を送信するための特定のリソース集合を小型基地局に送信する。
マクロ基地局は、第１リンク又は無線方式によって該特定のリソース集合を送信できる。リソース集合は、タイムドメイン及び/又は周波数領域及び/又はコードドメインを含む。選択的に、該特定のリソース集合は第２リンク確立応答に含まれることができる。マクロ基地局は、無線方式によって該特定のリソース集合を送信する場合に、システムメーセッジ、ＲＲＣ専用シグナリング、ＭＡＣセル、ＰＨＹ制御情報によって送信でき、且つＳＩ-ＲＮＴＩ又はマクロ基地局が小型基地局に分配したＣ-ＲＮＴＩによってアドレッシングする。
【００９５】
ステップ1002： 小型基地局は、マクロ基地局が送信した特定のリソース集合から任意にリソースを選択して無線方式によってアップリンク同期用信号を送信する。
アップリンク同期用信号は、探知参照信号（ＳＲＳ）、又は復調参照信号（ＤＭＲＳ）、又はプリアンブル配列（ｐｒｅａｍｂｌｅ）であってよい。
【００９６】
ステップ1003： マクロ基地局は、小型基地局が送信したアップリンク同期用信号を受信した後に、アップリンクタイミング調整量を計算して、且つアップリンクタイミング調整量を第１リンク又は無線方式によって小型基地局に送信する。
マクロ基地局は、第２リンクによって該アップリンクタイミング調整量を送信する場合に、ＲＲＣ専用シグナリング、ＭＡＣセル、ＰＨＹ制御情報によって送信できる。マクロ基地局は、小型基地局にＣ-ＲＮＴＩを分配していないと、このステップにおいて、小型基地局のために分配した一時Ｃ-ＲＮＴＩを小型基地局に送信することができる。
【００９７】
ステップ1004： 衝突を解決する。
【００９８】
小型基地局は、特定のリソース集合から任意にアップリンク同期信号を送信するリソースを選択するため、その他のマクロ基地局でのＵＥ又はその他の小型基地局と同様なリソースを選択する可能性があり、即ち衝突を発生する。このような方式では、衝突解決メカニズムを必要とする。該衝突解決メカニズムは、従来のＵＥのコンテンション（競争）に基づくランダムアクセス過程における衝突解決メカニズムと類似である。
【００９９】
衝突解決が成功した後に、小型基地局は、受信したアップリンクタイミング調整量に基づき、マクロ基地局と第２リンクにおけるアップリンク同期を達成することができる。
【０１００】
上記方法の実施例を実現するために、本発明は基地局を更に提供し、図１１に示すように、前記基地局は、
第１リンクによって、通信する相手端基地局との間に第２リンクを確立するためのリンク確立ユニット、
前記第１リンク及び/又は第２リンクによって前記相手端基地局と通信するための通信ユニット、を含む。
【０１０１】
個別に説明するに当たり、該基地局の実施例において、該基地局と第１リンク及び/又は第２リンクによって通信する基地局を相手端基地局と呼ぶ。
【０１０２】
選択的に、前記基地局は、前記相手端基地局との間に前記第２リンクを確立する前に、前記相手端基地局と現在の第２リンクを確立する能力を表すための情報をインタラクションすることに用いられる能力情報インタラクションユニットを更に含み、前記基地局と前記相手端基地局が現在いずれも第２リンクを確立する能力を備える際に、前記リンク確立ユニットは前記第２リンクを確立する。
【０１０３】
図１１に示すように、選択的に、前記リンク確立ユニットは、
第１リンクによって前記相手端基地局と第２リンクを確立するための情報をインタラクションするための情報インタラクションモジュール、及び/又は  
前記相手端基地局とアップリンク、ダウンリンク信号を同期するための信号同期モジュールを含む。
【０１０４】
具体的に、前記第１リンクは有線リンクであり、前記基地局能力情報インタラクションユニット又は前記情報インタラクションモジュールは有線リンクのＸ２インターフェイス又はＳ１インターフェイスの従来又は新規メッセージによって情報をインタラクションする。
【０１０５】
前記第２リンクは無線リンクであり、前記第２リンクを確立するための情報は、
前記基地局が分配した前記第２リンクにおいて前記相手端基地局を識別するための識別情報、
前記第２リンク用の前記基地局がサポートした安全関連能力情報、
前記第２リンク用の安全関連メカニズム又はアルゴリズム、
前記第２リンク用の安全関連メカニズム又はアルゴリズムのパラメータ、
前記第２リンク用の前記相手端基地局の無線能力関連情報、のうちの少なくとも１つを含む。
【０１０６】
以上のように、同期したダウンリンク信号は、プライマリー同期信号（ＰＳＳ）、セカンダリ同期信号（ＳＳＳ）、セル参照信号（ＣＲＳ）のうちの少なくとも１つを含み、同期用アップリンク信号は、探知参照信号（ＳＲＳ）、復調参照信号（ＤＭＲＳ）、プリアンブル配列（ｐｒｅａｍｂｌｅ）のうちの少なくとも１つを含む。
【０１０７】
図１２に示すように、前記信号同期モジュールは、
第１リンク又は無線方式によって同期用アップリンク信号を、該基地局と第１リンクによって通信する相手端基地局に送信するためのアップリンク信号送信サブモジュール、
受信した同期用アップリンク信号に基づきタイミング調整量を確定し、且つ第１リンク又は無線方式によって前記タイミング調整量を、該基地局と第１リンクによって通信する相手端基地局に送信するためのタイミング調整量送信サブモジュール、
前記タイミング調整量に基づき第１リンクによって通信する相手端基地局との間のアップリンク同期を達成するためのアップリンク同期サブモジュール、を含む。
【０１０８】
理解可能なように、管理と被管理の１対の基地局に対して、管理職能を有する基地局においてタイミング調整量送信サブモジュール機能を実現し、被管理基地局においてアップリンク信号送信サブモジュールとアップリンク同期サブモジュール機能を実現するが、一般的に、１つの基地局は管理者とする可能性があり、被管理者とする可能性もあり、したがって、１つの基地局において、同時に上記の３つのサブモジュールの機能を実現する可能性がある。
【０１０９】
前記アップリンク信号送信サブモジュールは、特定のリソースを使用して或いは特定のリソース集合から特定のリソースを選択して同期用アップリンク信号を送信し、前記信号同期モジュールは、第１リンク又は無線方式のブロードキャスト又はユニキャストメッセージによって前記特定のリソース又は特定のリソース集合を送信するためのリソース情報送信モジュールを更に含む。
【０１１０】
前記通信ユニットは、第２リンクによってユーザプレーン遅延敏感情報を伝送し、及び物理層制御情報、ＭＡＣ層制御情報又はＲＲＣ層専用シグナリングによってコントロールプレーン遅延敏感情報を伝送する。
【０１１１】
上記方法を実現するために、本発明は通信システムを更に提供し、図１３に示すように、該通信システムは第１基地局及び第２基地局を含み、前記第１基地局と前記第２基地局との間に通信用の第１リンクと第２リンクが存在し、前記第１基地局と第２基地局は、
第１リンク及び/又は第２リンクによって第１基地局又は第２基地局と通信するための通信ユニットを含む。
【０１１２】
前記第１基地局及び前記第２基地局は、
伝送しようとする情報の属性又はリンクの負荷状況に基づき前記通信ユニットが通信するためのリンクを確定するリンク確定ユニットを更に含む。
【０１１３】
伝送しようとする情報が非遅延敏感情報である場合に、前記リンク確定ユニットは、通信するためのリンクが第１リンクであると確定し、伝送しようとする情報が遅延敏感情報である場合に、前記リンク確定ユニットは、通信するためのリンクが第２リンクであると確定する。
【０１１４】
好ましくは、前記第１リンクは有線リンクであり、前記第２リンクは無線リンクである。
【０１１５】
前記通信ユニットは、前記第１リンクと前記第２リンクを同時に使用して通信する、又は時分割方式によって前記第１リンクと前記第２リンクを使用して通信する。
【０１１６】
上記のものは、本発明の好ましい実施例であるに過ぎず、本発明を制限するものではなく、本発明の主旨と原則に沿って行ったいずれの修正、等価置き換え及び改善等は、いずれも本発明の保護範囲に含まれる。
【０１１７】
なお、上記実施例は本発明を説明するものであるが本発明を制限するものではなく、且つ当業者は付属する請求項の範囲を逸脱しない範囲で代替実施例を設計することができる。本発明の各部材の実施例は、ハードウェアで実現されてよく、又は１つ又は複数のプロセッサで実行するソフトウェアモジュールで実現されてよく、又はそれらの組み合わせで実現されてよい。当業者は、その実践においてマイクロプロセッサ又はデジタル信号プロセッサ（ＤＳＰ）を用いて、本発明に基づく装置における一部又は全部部材の一部又は全部の機能を実現することができることを理解すべきである。本発明は、更にここで説明した方法の一部又は全部のデバイス又は装置プログラム（例えば、コンピュータプログラムとコンピュータプログラム製品）を実行することに用いるように実現することができる。このような本発明を実現するプログラムは、コンピュータ読み取り可能な媒体に記憶されてよく、又は１つの又は複数の信号の形式を有してよい。このような信号は、インターネットサイトからダウンロードして得られてよく、又はキャリア信号で提供されてよく、又はいずれの他の形式で提供されてよい。
【０１１８】
当業者は、実施例における装置におけるモジュールを適応的に変更でき且つそれらを該実施例と異なる１つ又は複数の装置に設置することが理解できる。実施例におけるモジュール又はユニット又は組立部品を１つのモジュール又はユニット又は組立部品に組み立てることができ、及び、またそれらを複数のサブモジュール又はサブユニット又はサブ組立部品に分けることができる。このような特徴及び/又は過程或いはユニットにおける少なくともいくつかが互いに排斥する以外、いずれかの組み合わせによって本明細書（付属する請求項、要約及び図面を含む）に開示されたすべての特徴及びこのように開示されたいずれかの方法或いは装置のすべての過程又はユニットを組み合わせることができる。明示的に述べられない限り、本明細書に開示された各特徴は同じ、等価又は類似の目的の代替特徴によって代替されることができる。確かに、以上の変換方式はいずれも本願の保護範囲の内にある。なお、文中で使用された第１、第２等はいかなる順序を表すものではなく、異なる主体又は対象だけを表す。
【産業上の利用可能性】
【０１１９】
従来技術と比べて、本発明の実施例におけるリンクの確立方法、基地局及び通信システムは、既存の第１リンクによって、２つの基地局の間に第２リンクを確立して、２つの基地局は第１リンク及び/又は第２リンクによって通信でき、更に伝送しようとする情報の属性（主に遅延に対する敏感度に基づく）及び/又はリンクの負荷状況に基づき第１リンク又は第２リンクを使用して伝送するのを確定し、サービス需要を満たすと同時に最大限にエアインターフェイスリンクリソースを節約することができる。
【図１】
2016524370.tif 000003
【図２】
2016524370.tif 000004
【図３】
2016524370.tif 000005
【図４】
2016524370.tif 000006
【図５】
2016524370.tif 000007
【図６】
2016524370.tif 000008
【図７】
2016524370.tif 000009
【図８】
2016524370.tif 000010
【図９】
2016524370.tif 000011
【図１０】
2016524370.tif 000012
【図１１】
2016524370.tif 000013
【図１２】
2016524370.tif 000014
【図１３】
2016524370.tif 000015
【手続補正書】
【提出日】平成27年12月10日(2015.12.10)
【手続補正１】
【補正対象書類名】特許請求の範囲
【補正対象項目名】全文
【補正方法】変更
【補正の内容】
【特許請求の範囲】
【請求項１】
第１基地局と第２基地局が前記第１基地局と前記第２基地局との間の第１リンクによって第２リンクを確立することと、
前記第１基地局と前記第２基地局が前記第１リンク及び/又は第２リンクによって通信することと、を含むリンクの確立方法。  
【請求項２】
前記第１基地局と前記第２基地局が前記第２リンクを確立する前に、前記第１基地局と前記第２基地局は、現在の第２リンクを確立する能力を表すための情報をインタラクションし、前記第１基地局と前記第２基地局が現在いずれも第１リンクによって第２リンクを確立する能力を備える際に、前記第２リンクを確立する請求項１に記載の方法。
【請求項３】
前記第１基地局と前記第２基地局が前記第２リンクを確立するステップは、第１基地局が第１リンクによって第２基地局と第２リンクを確立するための情報をインタラクションすること、及び/又は、前記第１基地局と前記第２基地局がアップリンク及び/又はダウンリンク同期を行うことを含む請求項１に記載の方法。
【請求項４】
前記第１リンクが有線リンクであり、前記第１基地局と前記第２基地局が有線リンクのＸ２インターフェイス又はＳ１インターフェイスの従来又は新規メッセージによって情報をインタラクションする請求項２又は３に記載の方法。
【請求項５】
前記第２リンクは無線リンクであり、前記第２リンクを確立するための情報は、
前記第１基地局が分配した前記第２リンクにおいて前記第２基地局を識別するための識別情報、
前記第２リンク用の前記第１基地局及び/又は前記第２基地局がサポートする安全関連能力情報、
前記第２リンク用の安全関連メカニズム又はアルゴリズム、
前記第２リンク用の安全関連メカニズム又はアルゴリズムのパラメータ、
前記第２リンク用の前記第2基地局の無線能力関連情報、のうちの少なくとも１つを含み、
又は
ダウンリンク同期用信号は、プライマリー同期信号（ＰＳＳ）、セカンダリ同期信号（ＳＳＳ）、セル参照信号（ＣＲＳ）のうちの少なくとも１つを含み、アップリンク同期用信号は、探知参照信号（ＳＲＳ）、復調参照信号（ＤＭＲＳ）、プリアンブル配列（ｐｒｅａｍｂｌｅ）のうちの少なくとも１つを含み、
又は
前記第１基地局と前記第２基地局がアップリンク同期を行うステップは、
前記第２リンクが無線リンクである場合に、前記第２基地局が無線方式によってアップリンク同期用信号を送信することと、
前記第１基地局は受信したアップリンク同期用信号に基づき前記第１基地局のタイミング調整量を確定し、且つ第１リンク又は無線方式によって前記タイミング調整量を前記第２基地局に送信することと、
前記第２基地局は受信した前記タイミング調整量に基づき前記第１基地局と間のアップリンク同期を達成することと、を含み、
好ましいのは、前記第２基地局は特定のリソースを使用して或いは特定のリソース集合から特定のリソースを選択してアップリンク同期用信号を送信し、前記特定のリソース又は特定のリソース集合は前記第１基地局により第１リンク又は無線方式によって前記第２基地局に送信される請求項３に記載の方法。
【請求項６】
前記第２リンクは無線リンクであり、前記第１基地局と前記第２基地局が前記第２リンクによって通信することは、ユーザプレーン遅延敏感情報を伝送すること、及び物理層制御情報、ＭＡＣ層制御情報又はＲＲＣ層専用シグナリングによってコントロールプレーン遅延敏感情報を伝送することを含む請求項１に記載の方法。
【請求項７】
第１リンクによって通信する相手端基地局との間に第２リンクを確立するように設定されるリンク確立ユニット、前記第１リンク及び/又は第２リンクによって前記相手端基地局と通信するように設定される通信ユニットを含む基地局。
【請求項８】
前記相手端基地局との間に前記第２リンクを確立する前に、前記相手端基地局と現在の第２リンクを確立する能力を表すための情報をインタラクションし、前記基地局と前記相手端基地局が現在いずれも第２リンクを確立する能力を備える際に、前記リンク確立ユニットが前記第２リンクを確立するように設定される能力情報インタラクションユニットを更に含む請求項７に記載の基地局。
【請求項９】
前記リンク確立ユニットは、
第１リンクによって前記相手端基地局と、第２リンクを確立するための情報をインタラクションするように設定される情報インタラクションモジュール、及び/又は
前記相手端基地局とアップリンク、ダウンリンク信号を同期するように設定される信号同期モジュールを含む請求項７に記載の基地局。
【請求項１０】
前記第１リンクは有線リンクであり、前記基地局能力情報インタラクションユニット又は前記情報インタラクションモジュールは有線リンクのＸ２インターフェイス又はＳ１インターフェイスの従来又は新規メッセージによって情報をインタラクションする請求項８又は９に記載の基地局。  
【請求項１１】
前記第２リンクは無線リンクであり、前記第２リンクを確立するための情報は、
前記基地局が分配した前記第２リンクにおいて前記相手端基地局を識別するための識別情報、
前記第２リンク用の前記基地局がサポートする安全関連能力情報、
前記第２リンク用の安全関連メカニズム又はアルゴリズム、
前記第２リンク用の安全関連メカニズム又はアルゴリズムのパラメータ、
前記第２リンク用の前記相手端基地局の無線能力関連情報、のうちの少なくとも１つを含み、
又は
同期のダウンリンク信号は、プライマリー同期信号（ＰＳＳ）、セカンダリ同期信号（ＳＳＳ）、セル参照信号（ＣＲＳ）のうちの少なくとも１つを含み、同期用アップリンク信号は、探知参照信号（ＳＲＳ）、復調参照信号（ＤＭＲＳ）、プリアンブル配列（ｐｒｅａｍｂｌｅ）のうちの少なくとも１つを含み、
又は
前記信号同期モジュールは、
第１リンク又は無線方式によって同期用アップリンク信号を、該基地局と第１リンクによって通信する相手端基地局に送信するように設定されるアップリンク信号送信サブモジュール、
受信した同期用アップリンク信号に基づきタイミング調整量を確定し、且つ第１リンク又は無線方式によって前記タイミング調整量を、該基地局と第１リンクによって通信する相手端基地局に送信するように設定されるタイミング調整量送信サブモジュール、
前記タイミング調整量に基づき第１リンクによって通信する相手端基地局との間のアップリンク同期を達成するように設定されるアップリンク同期サブモジュールを含み、
好ましいのは、前記アップリンク信号送信サブモジュールは特定のリソースを使用して或いは特定のリソース集合から特定のリソースを選択して同期用アップリンク信号を送信し、前記信号同期モジュールは、第１リンク又は無線方式のブロードキャスト又はユニキャストメッセージによって前記特定のリソース又は特定のリソース集合を送信するように設定されるリソース情報送信モジュールを更に含む請求項９に記載の基地局。
【請求項１２】
前記通信ユニットは第２リンクによってユーザプレーン遅延敏感情報を伝送し及び物理層制御情報、ＭＡＣ層制御情報又はＲＲＣ層専用シグナリングによってコントロールプレーン遅延敏感情報を伝送する請求項７に記載の基地局。
【請求項１３】
第１基地局及び第２基地局を含む通信システムであって、前記第１基地局と前記第２基地局との間に通信用の第１リンクと第２リンクが存在し、前記第１基地局と第２基地局は、第１リンク及び/又は第２リンクによって第１基地局又は第２基地局と通信するように設定される通信ユニットを含むことを特徴とする通信システム。
【請求項１４】
前記第１基地局及び前記第２基地局は、
伝送しようとする情報の属性又はリンクの負荷状況情况に基づき前記通信ユニットの通信するためのリンクを確定するように設定されるリンク確定ユニットを更に含み、
又は
前記リンク確定ユニットは、伝送しようとする情報が非遅延敏感情報である場合に、通信用のリンクが第１リンクであると確定し、伝送しようとする情報が遅延敏感情報である場合に、通信用のリンクが第２リンクであると確定するように設定され、
好ましいのは、前記第１リンクは有線リンクであり、前記第２リンクは無線リンクである請求項１３に記載の通信システム。
【請求項１５】
前記通信ユニットは、前記第１リンクと前記第２リンクを同時に使用して通信し、又は時分割方式によって前記第１リンクと前記第２リンクを使用して通信するように設定される請求項１３に記載の通信システム。
【国際調査報告】
2016524370.tif 000016
2016524370.tif 000017
2016524370.tif 000018
2016524370.tif 000019